(57)【要約】【課題】充電電流値を切り替え、充電時間を短縮することのできる携帯端末機を提供する。【解決手段】２次電池を有する携帯端末機において、２次電池に充電を行うための充電接続口Ａ及び充電接続口Ｂと、２次電池に充電電流を供給する充電回路と、充電接続口Ｂから充電を行う時に、充電回路から供給される充電電流値を切り替える充電電流値切り替え回路を具備した構成とする。従来通り複数台を同時に充電する時は、充電接続口Ａから集合充電器で充電を行い、単独で充電する時には充電接続口ＢからＡＣアダプターを用いて充電を行う構成とし、単独で充電する時に充電電流値を切り替えることによって、集合充電器で充電を行った時の充電時間と比べ、より短い時間で充電を行うことのできることを可能にする。【選択図】図１
2008043038.tif 000002
【特許請求の範囲】
【請求項１】
二次電池に充電を行う第１の充電接続口と、
前記第１の充電接続口と形状の異なる第２の充電接続口と、
を有する携帯機器において、
前記第１の充電接続口及び前記第２の充電接続口が二次電池に充電電流を供給するための充電回路に接続されており、前記第１の充電接続口と前記第２の充電接続口とで異なる充電電流を受けるものである携帯端末機。
【請求項２】
前記第１の充電接続口と前記第２の充電接続口とが前記携帯端末の下部、同一面に形成したことを特徴とする請求項１に記載の携帯端末機。
【発明の詳細な説明】
【技術分野】
【０００１】
本発明は、２次電池を有し、集合充電器から充電される携帯端末機に関するものである。
【背景技術】
【０００２】
従来より携帯端末機が、外務用として顧客と折衝を行う際に使用されており、業務を行わない深夜から早朝にかけて２次電池に充電すると同時に、業務データを送信する運用方式を取っている。携帯端末充電用ソケットに携帯端末機が接続されると充電が開始され、それと同時に通信回路によって各携帯端末機の業務データが送信される。携帯端末機は液晶やプリンターを有しているため、電池容量の大きい２次電池を使用しており、１台当たりの充電電流が大きいことや、複数台が同時に充電されることから、集合充電器が設置されている施設全体の電気容量を考慮し、保護回路を設けて一定以上の電流が流れないように電流制限をかけている。
【０００３】
携帯端末機は、クレードルに設けた充電端子に接続される１つ充電接続口を有しており、集合充電器からのみ充電を行っているが、業務の途中で電池がなくなり充電したい場合、あるい端末を持っていったん自宅に帰った場合など、集合充電器がない場所では充電することができなかった。
【特許文献１】特開平０９−２２３５１９号公報（図１、段落００１１）
【特許文献２】特開平０８-９５６１号公報（図１、段落００１１から００１４）
【発明の開示】
【発明が解決しようとする課題】
【０００４】
しかしながら、従来の携帯端末機においては、充電を行う環境によって１台当たりの充電電流値を制限する必要が有り、業務中に２次電池の充電が切れて早急に充電を行う必要がある場合も、集合充電器にて一定の充電電流で充電を行わなくてはならないという問題があった。
【０００５】
本発明は、従来の問題を解決するためになされたもので、携帯端末機に２つの充電接続口を設けることによって、複数台を同時に充電する時は充電接続口Ａ（第１の充電接続口）から集合充電器で充電を行い、単独で充電する時には充電接続口Ｂ（第２の充電接続口）からＡＣアダプターで充電を行う構成とし、単独で充電する時には充電電流値を切り替えることによって、集合充電器で充電するより短い時間で充電を行うことのできる携帯端末機を提供することを目的とする。
【課題を解決するための手段】
【０００６】
本発明の携帯端末機は、２次電池に充電を行うための充電接続口Ａ及び充電接続口Ｂと、充電接続口Ａ及び充電接続口Ｂに接続されており、２次電池に充電電流を供給するための充電回路と、充電接続口Ｂ及び充電回路に接続されており、充電接続口Ｂから充電を行う時に、２次電池に供給される充電電流値を切り替えるための充電電流値切り替え回路を備えた構成を有している。
【０００７】
この構成により、充電接続口Ａから充電する時には、充電回路より電池に充電電流が供給され、充電接続口Ｂから充電する時には、充電電流切り替え回路によって充電回路から供給される充電電流値が切り替わり、より多くの充電電流で充電できることになる。また、第１の充電接続口と第２の充電接続口とが携帯端末の下部、同一面に形成することができる。これにより充電接続口Ａを有する集合充電機で充電する際は、充電接続口Ｂは集合
充電機の壁で塞がれて接続することができなくなり、誤って２つの口から充電することを防止する。
【発明の効果】
【０００８】
本発明は、単独での充電時に、充電電流切り替え回路によって充電電流値を切り替えることにより、１つの充電回路で充電時間の短縮化を実現できるという効果を有し、更に単独での充電接続口をＡＣアダプター接続口とすることによって、商用交流電源さえあればどこでも充電時間を短縮化した充電を行うことができるという効果を有する、携帯端末機を提供することができるものである。
【発明を実施するための最良の形態】
【０００９】
以下、本発明の実施の形態の携帯端末機について、図面を用いて説明する。
【００１０】
図１は本発明の実施の形態における携帯端末機のブロック図である。携帯端末機２０は充電接続口Ａ１は集合充電を行なう際のクレードルに設けたものであり、充電口Ｂ２は１台の機器単独で充電を行う際のものである。充電接続口Ａ１ではクレードルに設けたバネ接点を携帯端末側の接点で受け、電流を通過させる。図２は本発明で示す集合充電器の構成を示す図である。ソケット１〜６から図１に示す充電接続口Ａとが結合し、充電電流を供給する。
【００１１】
また本発明の実施の形態の携帯端末機集合充電機、単独充電機の外観を図４に、回路例を図３に示す。
【００１２】
図３において、本発明の実施の形態の携帯端末機の回路は、１５Ａ〜１５Ｅの抵抗１５、充電電流値を切り替えるためのＦＥＴ１６、複数台充電用の充電接続口Ａ１２、単独充電用の充電接続口Ｂ１１、充電電流を供給するＩＣ１３、充電が行われる２次電池１４を有する。以上のように構成された携帯端末機について、図３を用いてその動作を説明する。
【００１３】
まず、複数台充電用の充電接続口Ａ１２から充電を行う時の、充電回路１７の動作を説明する。充電電流を供給するＩＣ１３は、基準となる電圧ＶＡとＧＮＤとの間の分割抵抗１５Ｂと１５Ｃによって決定されるＶＢの電圧により、充電電流Ｉを決定している。充電電流供給ＩＣ１３の最大充電電流をＩｍＡｘとすると、充電電流ＩはＩｍＡｘ・ＶＢ/ＶＡで計算された値となる。この時ＶＢは、ＶＡ・｛１５Ｃ/（１５Ｂ+１５Ｃ）｝となり、充電電流IはＩｍＡｘ・｛１５Ｃ/（１５Ｂ+１５Ｃ）｝となる。図４に示すように、集合充電を行う場合は携帯端末２０を集合充電機６に設けた凹部に挿入する。凹の底に設けたソケット１、２と充電接続口Ａとが結合し充電が開始される。
【００１４】
次に、単独充電用の充電接続口Ｂ１１から充電を行う時の、充電電流値切り替え回路１８、及び充電回路１７の動作を説明する。充電接続口Ｂ１１に電源が接続されると、ＦＥＴ１６のゲートに１５Ｄと１５Ｅで抵抗分割された電圧ＶＣが発生する。ＶＣによってＦＥＴ１６がオンすることにより、ＶＢはＶＡ・[１５Ｃ/｛１５Ａ・１５Ｂ/（１５Ａ+１５Ｂ）+１５Ｃ｝]となり、充電電流ＩはＩｍＡｘ・[１５Ｃ/｛１５Ａ・１５Ｂ/（１５Ａ+１５Ｂ）+１５Ｃ｝]となるため、１５Ａの定数を調節することにより、任意の充電電流値で急速充電を行うことが可能である。
【００１５】
このような本発明の携帯端末機によれば、単独充電用の充電接続口Ｂ１１から充電を行う時にオンするＦＥＴ１６を設け、１５Ａ、１５Ｂ、１５Ｃの定数を調節することにより、任意の充電電流値により充電を行うことができる。
【００１６】
なお、以上の説明では、充電電流値を切り替えるためのスイッチをＦＥＴで構成した例について説明したが、その他のトランジスタ等のスイッチについても同様に実施可能である。また、図４に示すように複数の端末をまとめて充電する集合充電器と接続する充電接続口Ａと個別のアダプタを接続して急速充電を行う充電接続口Ｂを装置下面の同一面に設けることにより、集合充電を行っている最中には充電器の壁が邪魔して充電接続口Ｂにアダプターを接続できない構成としている。
【産業上の利用可能性】
【００１７】
以上のように、本発明にかかる携帯端末機は、２つの充電接続口を設けることで、単独での充電時に充電電流値を切り替えることにより、１つの充電回路で充電時間の短縮化を実現し、単独での充電接続口をＡＣアダプター接続口とすることによって、商用交流電源さえあればどこでも充電時間を短縮化した充電を行うことができるという効果を有し、２次電池を有する集合充電器から充電される携帯端末機等として有用である。
【図面の簡単な説明】
【００１８】
【図１】本発明の実施の形態における携帯端末機のブロック図
【図２】携帯端末機のブロック図
【図３】本発明の実施の形態における携帯端末機の動作説明のための回路図
【図４】本発明の実施の形態の携帯端末機の外観を示す説明図
【符号の説明】
【００１９】
１  充電接続口Ａ
２  充電接続口Ｂ
３  充電回路
４  充電電流値切り替え回路
５  ２次電池
６  集合充電器
７  保護回路
８  商用交流電源用ソケット
９  携帯端末充電用ソケット群
９Ａ  携帯端末充電用ソケット
９Ｂ  携帯端末充電用ソケット
９Ｃ  携帯端末充電用ソケット
９Ｄ  携帯端末充電用ソケット
９Ｅ  携帯端末充電用ソケット
９Ｆ  携帯端末充電用ソケット
１０  通信回路
１１  充電接続口Ｂ
１２  充電接続口Ａ
１３  充電電流供給ＩＣ
１４  ２次電池
１５  抵抗群
１５Ａ  抵抗
１５Ｂ  抵抗
１５Ｃ  抵抗
１５Ｄ  抵抗
１５Ｅ  抵抗
１６  ＦＥＴ
１７  充電回路
１８  充電電流値切り替え回路
２０  携帯端末機
【図１】
2008043038.tif 000003
【図２】
2008043038.tif 000004
【図３】
2008043038.tif 000005
【図４】
2008043038.tif 000006